(57)【要約】【課題】ワイヤレス警報システムにおいて、電源投入後、警報器の識別情報の登録モードが自動的に実行される。【解決手段】親警報器１＃１は、子警報器１＃２〜１＃５の識別情報を登録するための記憶部１６と、所定の操作を受け付けると、登録モードを開始して、子警報器１＃２〜１＃５が送信した登録要求信号を受信して、その登録要求信号に含まれている子警報器１＃２〜１＃５の識別情報を記憶部１６に登録する制御部１７とを備え、子警報器１＃２〜１＃５は、親警報器１＃１の識別情報を登録するための記憶部１６と、電源投入操作を受け付けると、登録要求信号を送信して親警報器１＃１から返信されてきた登録通知信号に含まれている親警報器１＃１の識別情報を記憶部１６に登録する制御部１７とを備える。【選択図】図１
2010049626.tif 000002
【特許請求の範囲】
【請求項１】
制御信号を相互に伝送し、いずれかの警報器が監視対象の異常を検知したときには、複数の警報器から連動して警報を出力するワイヤレス警報システムにおいて、
親警報器と、子警報器とからなり、前記親警報器および前記子警報器には、同一のシステムに属した警報器を識別するための識別情報が割り当てられており、
前記親警報器は、
前記子警報器の識別情報を登録するための記憶部と、
所定の操作を受け付けると、登録モードを開始して、前記子警報器が送信した登録要求信号を受信して、前記登録要求信号に含まれている前記子警報器の識別情報を前記記憶部に登録する制御部とを備え、
前記子警報器は、
前記親警報器の識別情報を登録するための記憶部と、
電源投入操作を受け付けると、前記登録要求信号を送信して、前記親警報器から返信されてきた登録通知信号に含まれている親警報器の識別情報を前記記憶部に登録する制御部とを備えたワイヤレス警報システム。
【請求項２】
請求項１において、
前記親警報器は、前記登録モードを開始してから、所定時間が経過したときに、前記登録モードを自動的に終了するワイヤレス警報システム。
【請求項３】
請求項１において、
前記親警報器は、前記登録モードを開始してから、前記登録要求信号を受信しないまま所定時間が経過したときに、前記登録モードを自動的に終了するワイヤレス警報システム。
【請求項４】
請求項１〜３のいずれかにおいて、
前記親警報器は、前記登録モードが終了したときに、前記親警報器の記憶部に識別情報が登録された子警報器の台数を報知するワイヤレス警報システム。
【発明の詳細な説明】
【技術分野】
【０００１】
本発明は、制御信号を相互に伝送し、いずれかの警報器が監視対象の異常を検知したときには、複数の警報器から連動して警報を出力するワイヤレス警報システムの改良に関する。
【背景技術】
【０００２】
上記のようなワイヤレス警報システムでは、システムに属した警報器を識別するため、識別情報の登録モードとして、警報器毎に割り当てられた識別情報を、他の警報器に登録するようになっている。例えば、システムの連動動作を制御する親警報器と、その親警報器によって制御される子警報器とからなるシステムでは、親警報器で所定の登録操作を行って登録モードにした後、子警報器のそれぞれで登録操作を行うことで、子警報器から親警報器に、子警報器の識別情報を含んだ登録要求信号を送信し、親警報器から子警報器に、親警報器の識別情報を含んだ応答信号を送信する手順によって、親警報器および子警報器において、識別情報を登録する。
【０００３】
なお、次の特許文献１には、センサに接続される子機と、その子機の検針データを収集する親機からなる検針端末システムにおいて、所定の操作によって親機を、子機からの送信信号受信待機中の状態とし、子機側では、登録ボタンを押下することにより、子機側から識別情報を登録要求コマンドに付加して親機に送信し、親機側では、その登録要求コマンドに付加された識別情報を登録し、更に、親機の識別情報を付加して登録要求に返信し、子機側では、返信されてきた親機の識別情報を登録し、更に、登録終了を親機に送信する、識別情報の登録方法が開示されている。
【特許文献１】特開2005-223654公報
【発明の開示】
【発明が解決しようとする課題】
【０００４】
しかしながら、上記のようなワイヤレス警報システムでは、登録モードにおいて、親警報器および子警報器のそれぞれで登録操作をする必要があるので、手間が掛かるという問題があった。そこで、本発明は、電源投入後、登録モードが自動的に実行されるようにした新規な構成のワイヤレス警報システムを提供する。
【課題を解決するための手段】
【０００５】
本発明によるワイヤレス警報システムは、制御信号を相互に伝送し、いずれかの警報器が監視対象の異常を検知したときには、複数の警報器から連動して警報を出力するワイヤレス警報システムにおいて、親警報器と、子警報器とからなり、前記親警報器および前記子警報器には、同一のシステムに属した警報器を識別するための識別情報が割り当てられており、前記親警報器は、前記子警報器の識別情報を登録するための記憶部と、所定の操作を受け付けると、登録モードを開始して、前記子警報器が送信した登録要求信号を受信して、前記登録要求信号に含まれている前記子警報器の識別情報を前記記憶部に登録する制御部とを備え、前記子警報器は、前記親警報器の識別情報を登録するための記憶部と、電源投入操作を受け付けると、前記登録要求信号を送信して、前記親警報器から返信されてきた登録通知信号に含まれている親警報器の識別情報を前記記憶部に登録する制御部とを備える。
【０００６】
前記親警報器は、前記登録モードを開始してから、所定時間が経過したときに、前記登録モードを自動的に終了する構成としてもよい
【０００７】
あるいは、前記親警報器は、前記登録モードを開始してから、前記登録要求信号を受信しないまま所定時間が経過したときに、前記登録モードを自動的に終了する構成としてもよい。
【０００８】
なお、前記親警報器は、前記登録モードが終了したときに、前記親警報器の記憶部に識別情報が登録された子警報器の台数を報知するようにしてもよい。
【発明の効果】
【０００９】
本発明によれば、親警報器で所定の操作、電源投入操作（電池装着）すると登録モードが開始され、その後、子警報器で電源投入操作がなされると、親警報器には、子警報器の識別情報が自動的に登録されると共に、子警報器には、親警報器の識別情報が自動的に登録されるので、手間が掛からない。なお、ここでは、親警報器で所定の操作が済んでから、子警報器の電源投入をする。
【００１０】
親警報器は、登録モードを開始してから、所定時間が経過したときに、あるいは、登録要求信号を受信しないまま所定時間が経過したときに、登録モードを自動的に終了する構成では、登録モードを終了させるために特段の操作をしなくてもよいので、一層手間が掛からない
【００１１】
また、警報器は、登録モードが終了したときに、識別情報が登録済みとなった子警報器の台数を報知する構成では、登録に失敗した子警報器があった場合には、それを簡単に知ることができるので、電波ノイズ源を遠ざける等、適切な対処が可能になる。
【発明を実施するための最良の形態】
【００１２】
本発明は、制御信号を相互に伝送し、いずれかの警報器が監視対象の異常を検知したときには、複数の警報器から連動して警報を出力する警報システムに好適である。このような警報システムとしては、例えば、住宅用の火災警報システム、ガス漏れ警報システム、防犯警報システム等、他の警報システムがあるが、以下、火災警報システムを例として説明する。
【００１３】
図１は、本発明を適用した警報器の概略構成を示したブロック図、図２は、その警報器の外観を示した斜視図である。
警報器１は、例えば監視対象として火災による熱、あるいは煙を検知する検知部１１と、警報停止操作等を受け付ける操作部１２と、警報の音声等を出力する音声出力部１３と、アンテナ１８を有し、他の警報器１との間で制御信号を送受信する通信部１４と、警報器１に割り当てられた識別情報を記憶する記憶部１６と、これらの各部を制御する制御部１７とを備えている。なお、１１ａは検知部１１を保護する保護カバー、１２ａは操作部１２に設けられた押し釦、１３ａは音声出力部１３を構成するスピーカのための通音孔を示している。
【００１４】
図３は、本発明による警報システムの構成図である。警報器１には、親警報器１＃１と子警報器１＃２〜１＃５とがある。親警報器１＃１と子警報器１＃２〜１＃５とでは、基本構成はほぼ共通であるが、制御部１７が実行する制御プログラムや、記憶部１６の記憶容量等に違いがある。また、無線による制御信号の伝送は、常に、親警報器１＃１と、子警報器１＃２〜１＃５との間で行われ、子警報器１＃２〜１＃５同士は、制御信号の伝送を行わない。なお、警報器１のそれぞれには、固有の識別情報が予め割り当てられており、親警報器１＃１は、自己の識別情報と、子警報器１＃２〜１＃５の全ての識別情報を記憶部１６に登録している。一方、子警報器１＃２〜１＃５は、自己の識別情報と、親警報器１＃１の識別情報とを記憶部１６に登録している。これらの識別情報は、制御信号の伝送において、当システムに属した警報器１を識別するとともに、送信元、送信先を特定するために使用される。
【００１５】
なお、制御信号の伝送は、例えば小電力セキュリティーシステム標準規格に従って行われる。この規格では、無線局は親機、子機によって構成され、４００ＭＨｚ帯を４８チャネルに区分したチャネルの１つを選択して、親機と子機とが信号を相互に伝送するようになっている。本発明では、全ての警報器１において、同一のチャネルが予め選択されていることを想定している。
【００１６】
警報器１による基本動作は次のように行われる。すなわち、子警報器１＃２〜１＃５は、監視対象の異常を検知すると、警報を出力すると共に、親警報器１＃１に対して連動要求信号を送信する。親警報器１＃１は、その連動要求信号を受信すると、警報を連動して出力すると共に、他の子警報器１＃２〜１＃５に対して連動指令信号を送信する。また、親警報器１＃１は、自ら監視対象の異常を検知すると、警報を出力すると共に、全ての子警報器１＃２〜１＃５に対して連動指令信号を送信する。そして、子警報器１＃２〜１＃５は、親警報器１＃１が送信した連動指令信号を受信すると、警報を連動して出力する。
【００１７】
そして、警報を出力している間に、子警報器１＃２〜１＃５で警報停止操作を受け付けると、子警報器１＃２〜１＃５は、親警報器１＃１に対して警報停止要求信号を送信する。親警報器１＃１は、その警報停止要求信号を受信すると、所定時間、警報を停止すると共に、他の子警報器１＃２〜１＃５に対して警報停止指令信号を送信する。また、親警報器１＃１は、自ら警報停止操作を受け付けると、所定時間、警報を停止すると共に、全ての子警報器１＃２〜１＃５に対して警報停止指令信号を送信する。そして、子警報器１＃２〜１＃５は、親警報器１＃１が送信した警報停止指令信号を受信すると、所定時間、警報を停止する。
【００１８】
上述したように、警報器間の制御信号の伝送には、送信元、送信先を特定するために、警報器の識別情報が含まれている。これを実現するために、親警報器１＃１には、警報システムに属する全ての子警報器１＃２〜１＃５の識別情報を登録し、子警報器１＃２〜１＃５には、親警報器１＃１の識別情報を登録する登録モードを予め実行しておく必要があるが、本発明は、その登録モードを効率的に行う点に特徴がある。
【００１９】
すなわち、本発明では、親警報器１＃１は、所定の操作（例えば登録釦の押圧）あるいは電源投入操作（電池の装着を含む）を受け付けると、子警報器１＃２〜１＃５が送信した登録要求信号を受信して、その登録要求信号に含まれている子警報器１＃２〜１＃５の識別情報を記憶部１６に登録する登録モードを開始する。これに対して、子警報器１＃２〜１＃５は、電源投入操作を受け付けると、登録要求信号を送信して、親警報器１＃１から返信されてきた登録通知信号に含まれている親警報器１＃１の識別情報を記憶部１６に登録する。このような構成では、警報器１の作動を開始させるために電源投入、あるいは電池を装着するだけで、登録モードが自動的に実行されるので、手間が掛からない。また、子警報器１＃２〜１＃５で電源投入操作をすると、子警報器１＃２〜１＃５の側から親警報器１＃１に登録要求信号を送信する構成なので、子警報器１＃２〜１＃５に対して順番に電源投入操作をしていけば、複数の子警報器１＃２〜１＃５から同時に登録要求信号が送信される可能性は低いため、登録要求信号の衝突して識別情報の登録が失敗することが少ない。
【００２０】
また、親警報器１＃１は、登録モードを開始してから、所定時間（例えば８分）が経過したときに、上記登録モードを自動的に終了する構成としてもよい。あるいは、登録モードを開始してから、登録要求信号を受信しないまま所定時間（例えば２分）が経過したときに、登録モードを自動的に終了する構成としてもよい。この場合、親警報器１＃１は、電源投入操作を受け付けたとき、あるいは、登録要求信号を受信する毎に、タイマを起動させて、タイムアウトした時点で登録モードを終了させる。これらの構成では、登録モードを終了させるために特段の操作をしなくても、登録モードが自動的に終了するので、一層手間が掛からない。
【００２１】
また更に、親警報器１＃１は、登録モードが終了したときに、記憶部１６に識別情報が登録された子警報器１＃２〜１＃５の台数を、音声出力部１３から報知させる構成としてもよい。これにより、万一、登録に失敗した子警報器１＃２〜１＃５があった場合には、それを簡単に知ることができるので、その子警報器１＃２〜１＃５から電波ノイズ源を遠ざける等、適切な対処が可能になる。
【００２２】
図４は、上記登録モードにおける親警報器１＃１と子警報器１＃２〜１＃４との間の信号伝送を時系列的に示したフロー図である。
【００２３】
フロー図の登録モードでは、親警報器１＃１は、時刻Ｔ１に電源投入操作を受け付けている。
子警報器１＃２は、時刻Ｔ２に電源投入操作を受け付けて、時刻Ｔ３に、親警報器１＃１に対して登録要求信号を送信している。
【００２４】
登録指令信号には、子警報器１＃２の識別情報が含まれているので、登録要求信号を受信した親警報器１＃１は、その識別情報を登録し、所定時間を計測するためにタイマを起動させる。そして、時刻Ｔ４に、子警報器１＃２に対して、登録通知信号を送信している。
【００２５】
登録通知信号には、親警報器１＃１の識別情報、および子警報器１＃２〜１＃４の登録状態を示した登録情報が含まれているので、子警報器１＃２は、自器の登録が成功していれば、親警報器１＃１の識別情報を登録し、時刻Ｔ５に、親警報器１＃１に対して応答信号を送信する。一方、自器の登録が失敗していれば、再度、親警報器１＃１に対して登録要求信号を送信する。
【００２６】
同様に、子警報器１＃３は、時刻Ｔ７に電源投入操作を受け付け、時刻Ｔ３に、親警報器１＃１に対して登録要求信号を送信している。この登録要求信号を受信した親警報器１＃１は、子警報器１＃３の識別情報を登録し、タイマを起動させる。そして、時刻Ｔ８に、子警報器１＃３に対して、登録通知信号を送信している。その登録通知信号を受信した子警報器１＃３は、親警報器１＃１の識別情報を登録し、時刻Ｔ９に、親警報器１＃１に対して応答信号を送信している。
【００２７】
また、子警報器１＃４は、時刻Ｔ１０に電源投入操作を受け付け、時刻Ｔ１１に、親警報器１＃１に対して登録要求信号を送信している。この登録要求信号を受信した親警報器１＃１は、子警報器１＃４の識別情報を登録し、タイマを起動させる。そして、時刻Ｔ１２に、子警報器１＃４に対して、登録通知信号を送信している。その登録通知信号を受信した子警報器１＃４は、親警報器１＃１の識別情報を登録し、時刻Ｔ１３に、親警報器１＃１に対して応答信号を送信している。
【００２８】
時刻Ｔ１４には、親警報器１＃１が時刻Ｔ１１で起動させたタイマがタイムアップしたために、親警報器１＃１は登録モードを終了している。このとき、親警報器１＃１は、識別情報が登録済みとなった子警報器１＃１〜１＃４の台数を報知する。なお、親警報器１＃１は、所定の台数（最大）の子警報器１＃２〜１＃４が登録済みになった時点で、登録モードを自動的に終了するようにしてもよい。
【００２９】
なお、子警報器１＃２〜１＃４は、登録要求信号を返信してから所定時間が経過するまでに、親警報器１＃１が送信した登録通知信号を受信しなかったときには、音声出力部１３から、登録の失敗を報知させる構成とすれば、登録が失敗した子警報器１＃２〜１＃４を直ちに特定できるので迅速に対処できる。
【図面の簡単な説明】
【００３０】
【図１】本発明を適用した警報器の概略構成を示したブロック図である。
【図２】本発明を適用した警報器の外観を示した斜視図である。
【図３】本発明による警報システムの構成図である。
【図４】登録モードにおける信号伝送を示したフロー図である。
【符号の説明】
【００３１】
１              警報器
１＃１          親警報器
１＃２〜１＃５  子警報器
１４            通信部
１６            記憶部
１７            制御部
【図１】
2010049626.tif 000003
【図２】
2010049626.tif 000004
【図３】
2010049626.tif 000005
【図４】
2010049626.tif 000006